(57)【特許請求の範囲】
【請求項１】
建物の目地（３０）に挿入された縦目地一次止水材（３１）と縦目地二次止水材（３２）の直下に設けられ，前記縦目地一次止水材と縦目地二次止水材との間に侵入した水（Ｗ）を屋外へ排出する排水部材であって、上端面に，前記縦目地一次止水材の下端面が当接する第一当接面（１１）を有する断面略逆Ｕ字状の逆Ｕ字体の後端部に，該縦目地一次止水材の後端面が当接する第三当接面（１４）を形成する縦壁（１５）を立設し，内部に，前後方向の排水通路（１２）を有する排水体（１０）と、前記排水体の後端から連設されると共に，底壁（２４）の後端部から後壁（２６）を立設し，前記底壁の上端面に，前記縦壁と後壁との間に侵入させた前記縦目地二次止水材の下端面が当接する第二当接面（２３）を有し，前記底壁の後端部から，前記水の逆流を阻止する逆流防止壁（２１）を垂下設した組付体（２０）と、からなることを特徴とする建物目地排水部材。
【請求項２】
建物の目地（３０）に挿入された縦目地一次止水材（３１）と縦目地二次止水材（３２）の直下に設けられ，前記縦目地一次止水材と縦目地二次止水材との間に侵入した水（Ｗ）を屋外へ排出する排水部材であって、上端面に，前記縦目地一次止水材の下端面が当接する第一当接面（１１）を有する筒状体の後端部に，該縦目地一次止水材の後端面が当接する第三当接面（１４）を形成する縦壁を（１５）を立設し，内部に，前後方向の排水通路（１２）を有する排水体（１０）と、前記排水体の後端から連設されると共に，底壁（２４）の後端部から後壁（２６）を立設し，前記底壁の上端面に，前記縦壁と後壁との間に侵入させた前記縦目地二次止水材の下端面が当接する第二当接面（２３）を有し，前記底壁の後端部から，前記水の逆流を阻止する逆流防止壁（２１）を垂下設し，かつ，前記排水体の下端後端部と前記逆流防止壁（２１）の下端部とを連設する下端壁（２７）を設けた組付体（２０）と、からなることを特徴とする建物目地排水部材。
【請求項３】
排水体（１０）の排水通路（１２）を、その前端開口部（１３）が下向き、または前向きになるように形成したことを特徴とする請求項１または２に記載の建物目地排水部材。
【請求項４】
後壁（２６）または縦壁（１５）あるいはその両方を、相互に対向する方向に傾斜させたことを特徴とする請求項１乃至３のいずれかに記載の建物目地排水部材。
【請求項５】
建物の目地（３０）に挿入され、縦目地一次止水材（３１）と縦目地二次止水材（３２）の鉛直方向下方に設けられる排水部材であって、一次止水材（３１）と二次止水材（３２）の下端部が当接する第一当接面（１１），第二当接面（２３）と第一，第二当接面（１１，２３）の鉛直方向下方に設けられる排水通路（１２）と第二当接面（２３）の室内側に設けられ二次止水材（３２）の室内側側面と当接すると共に、鉛直方向下方に延長され排水通路（１２）の室内側終端を形成する立壁（２６，２１，２０）を設けたことを特徴とする建物目地排水部材。
【請求項６】
請求項１〜５記載の建物目地排水部材を備えたことを特徴とする建物。
【発明の詳細な説明】
【技術分野】
【０００１】
本発明は、建物の目地に挿入され、縦目地一次止水材と縦目地二次止水材との間に侵入した水を、室内側に逆流させることなく、屋外に確実に排水することのできる排水部材及びそれを備えた建物に関するものである。
【背景技術】
【０００２】
図１を参照して説明する。外壁をサイディング（パネル）５０で構成した建物の目地５１には、ガスケット（乾式目地材）やシーリング（湿式目地材）等の目地材５２を充填するが、その際、縦目地材５２ａの下端部には排水用スペース５３を形成している。この排水用スペース５３は、縦目地材５２ａがガスケットで横目地材５２ｂがガスケットまたはシーリングの場合、および両者ともシーリングの場合においても形成されることが望ましい。
【特許文献１】特開平９−７８７１０号公報
【発明の開示】
【発明が解決しようとする課題】
【０００３】
しかし、この排水用スペース５３は、縦目地材５２ａや横目地材５２ｂの充填を調整することによって適切な大きさに設定する必要があるので、目地材５２の施工作業性が悪くなるといった問題がある。また、特に、縦目地材５２ａと横目地材５２ｂが共にシーリングの場合は、当該目地材５２を充填する際の施工のバラツキによって、排水用スペース５３を塞いでしまうといった問題が発生し易い。
【０００４】
本発明はこうした問題に鑑み創案されたもので、目地材の施工作業性を高めつつ、排水用スペースを確保し、かつ、目地に侵入した水を、室内側に逆流させることなく、屋外に確実に排水することのできる排水部材及びそれを備えた建物を提供することを課題とする。
【課題を解決するための手段】
【０００５】
図２乃至図１２を参照して説明する。請求項１に記載の建物目地排水部材１は、建物の目地３０に挿入された縦目地一次止水材３１と縦目地二次止水材３２の直下に設けられ、前記縦目地一次止水材３１と縦目地二次止水材３２との間に侵入した水Ｗを屋外へ排出する排水部材であって、上端面に、前記縦目地一次止水材３１の下端面が当接する第一当接面１１を有する断面略逆Ｕ字状の逆Ｕ字体の後端部に、当該縦目地一次止水材３１の後端面が当接する第三当接面１４を形成する縦壁１５を立設し、内部に、前後方向の排水通路１２を有する排水体１０と、前記排水体１０の後端から連設されると共に、底壁２４の後端部から後壁２６を立設し、前記底壁２４の上端面に、前記縦壁１５と後壁２６との間に侵入させた前記縦目地二次止水材３２の下端面が当接する第二当接面２３を有し、前記底壁２４の後端部から、前記水Ｗの逆流を阻止する逆流防止壁２１を垂下設した組付体２０と、からなることを特徴とするものである。
【０００６】
請求項２に記載の建物目地排水部材１は、建物の目地３０に挿入された縦目地一次止水材３１と縦目地二次止水材３２の直下に設けられ、前記縦目地一次止水材３１と縦目地二次止水材３２との間に侵入した水Ｗを屋外へ排出する排水部材であって、上端面に、前記縦目地一次止水材３１の下端面が当接する第一当接面１１を有する筒状体の後端部に、当該縦目地一次止水材３１の後端面が当接する第三当接面１４を形成する縦壁１５を立設し、内部に、前後方向の排水通路１２を有する排水体１０と、前記排水体１０の後端から連設されると共に、底壁２４の後端部から後壁２６を立設し、前記底壁２４の上端面に、前記縦壁１５と後壁２６との間に侵入させた前記縦目地二次止水材３２の下端面が当接する第二当接面２３を有し、前記底壁２４の後端部から、前記水Ｗの逆流を阻止する逆流防止壁２１を垂下設し、かつ、前記排水体１０の下端後端部と前記逆流防止壁２１の下端部とを連設する下端壁２７を設けた組付体２０と、からなることを特徴とするものである。
【０００７】
請求項３に記載の建物目地排水部材１は、請求項１または２に記載の発明において、  排水体１０の排水通路１２を、その前端開口部１３が下向き、または前向きになるように形成したことを特徴とするものである。
【０００８】
請求項４に記載の建物目地排水部材１は、請求項１乃至３に記載の発明において、後壁２６または縦壁１５あるいはその両方を、相互に対向する方向に傾斜させたことを特徴とするものである。
【０００９】
請求項５に記載の建物目地排水部材１は、建物の目地３０に挿入され、縦目地一次止水材３１と縦目地二次止水材３２の鉛直方向下方に設けられる排水部材であって、一次止水材３１と二次止水材３２の下端部が当接する第一当接面１１，第二当接面２３と第一，第二当接面１１，２３の鉛直方向下方に設けられる排水通路１２と第二当接面２３の室内側に設けられ二次止水材３２の室内側側面と当接すると共に、鉛直方向下方に延長され排水通路１２の室内側終端を形成する立壁２６，２１，２０を設けたことを特徴とするものである。
【００１０】
請求項６に記載の建物は、請求項１〜５に記載の建物目地排水部材を備えたことを特徴とする建物である。
【発明の効果】
【００１１】
請求項１に記載の建物目地排水部材１は、縦目地一次止水材３１と縦目地二次止水材３２の直下に設けるので、当該縦目地一次止水材３１と縦目地二次止水材３２の間に侵入した水Ｗを、排水用のスペースである排水体１０の排水通路１２を通して屋外に確実に排出することができる。従って、従来技術のように排水用スペースを目地材によって塞いでしまうといった問題を解決することができる。
【００１２】
また、この建物目地排水部材１は、逆流防止壁２１を設けているので、水Ｗが目地３０の奥側（室内側）に逆流してそのまま室内へ侵入してしまうといった事態を未然に防止することができる。
【００１３】
また、縦目地一次止水材３１の下端面を、排水体１０に設けた第一当接面１１に当接させて上下方向の位置決めを行い、また、その後端面を、第三当接面１４に当接させて前後方向の位置決めを行うので、当該縦目地一次止水材３１の位置決めを正確に行うことができる。また、縦目地二次止水材３２の下端面を、組付体２０に設けた第二当接面２３に当接させるので、当該縦目地二次止水材３２の上下方向の位置決めを正確に行うことができる。これによって、従来技術のように、排水用スペースを確保するために目地材の施工作業性が悪くなるといった問題を解決することができる。
【００１４】
なお、縦目地一次止水材３１をシーリング（湿式目地）で形成する場合、それらは目地排水部材１を取付けた後に充填するので、当該シーリングの施工バラツキによって、排水用スペース（排水通路１２）を塞いでしまうといった問題は発生しない。
【００１５】
また、縦目地二次止水材３２をガスケット（乾式目地）で形成する場合、その下端部を、目地排水部材１の縦壁１５と後壁２６とで挟持した状態で、当該縦目地二次止水材３２を目地排水部材１と同時に施工することができる。従って、施工作業が容易となり、また、施工後、縦目地二次止水材３２と目地排水部材１とが相互に脱落することもない。
【００１６】
請求項２に記載の建物目地排水部材１は、縦目地一次止水材３１と縦目地二次止水材３２の直下に設けるので、当該縦目地一次止水材３１と縦目地二次止水材３２との間に侵入した水Ｗを、排水体１０の排水通路１２を通して屋外に確実に排出することができる。これにより、排水用スペースを目地材によって塞いでしまうといった問題を解決することができる。
【００１７】
また、この目地排水部材１は、逆流防止壁２１を設けているので、水Ｗが目地３０の奥側（室内側）に逆流してそのまま室内へ侵入してしまうといった事態を未然に防止することができる。
【００１８】
また、縦目地一次止水材３１の下端面を、排水体１０に設けた第一当接面１１に当接させて上下方向の位置決めを行い、また、その後端面を、第三当接面１４に当接させて前後方向の位置決めを行うので、当該縦目地一次止水材３１の位置決めを正確に行うことができる。また、縦目地二次止水材３２の下端面を、組付体２０の底壁２４に設けた第二当接面２３に当接させるので、当該縦目地二次止水材３２の上下方向の位置決めを正確に行うことができる。これによって、従来技術のような排水用スペースを確保するために目地材の施工作業性が悪くなるといった問題を解決することができる。
【００１９】
なお、縦目地二次止水材３２の下端部の前端面は縦壁１５に当接し、後端面は後壁２６に当接するので前後方向の位置決めが正確に行われる。
【００２０】
また、縦目地二次止水材３２をガスケット（乾式目地）で形成する場合、その下端部を、目地排水部材１の縦壁１５と後壁２６とで挟持した状態で、当該縦目地二次止水材３２を目地排水部材１と同時に施工することができる。従って、施工作業が容易となり、また、施工後、縦目地二次止水材３２と目地排水部材１とが相互に脱落することもない。
【００２１】
また、下端壁２７を設けた場合、組付体２０の構造的強度を高めることができ、縦目地二次止水材３２の下端部を、より安定した姿勢で強く保持することができ、脱落をさらに未然に防止することができる。
【００２２】
請求項３に記載の建物目地排水部材１は、請求項１および２に記載の発明と同様に、縦目地一次止水材３１と縦目地二次止水材３２の間に侵入した水Ｗを、逆流させることなく、確実に排出することができると共に、目地材の位置決めを行うので、施工作業性の向上を図ることができる。
【００２３】
また、排水体１０の排水通路１２を、その前端開口部１３が下向き、または前向きになるように形成しているので、水Ｗを、屋外に良好に排出することができる。また、前端開口部１３を下向きに形成した場合には、当該前端開口部１３が視覚され難く、よって見栄えに優れると共に、水Ｗを地面方向に向けて案内することができる。
【００２４】
請求項４に記載の建物目地排水部材１は、後壁２６または縦壁１５あるいはその両方を、相互に対向する方向に傾斜させているので、当該後壁２６と縦壁１５との間の間隔を、その上部において小さくすることができ、これによって、縦目地二次止水材３２をより強く保持することができる。その結果、相互間の脱落をより未然に防止することができる。
【００２５】
請求項５に記載の発明は、縦目地一次止水材３１と縦目地二次止水材３２の直下に設けているので、当該縦目地一次止水材３１と縦目地二次止水材３２との間に侵入した水Ｗを、排水体１０の排水通路１２を通して屋外に確実に排出することができる。
【００２６】
また、縦目地一次止水材３１の下端面を、排水体１０に設けた第一当接面１１に当接させて上下方向の位置決めを行い、また、その後端面を第二当接面２３に当接させた前後方向の位置決めを行うので、当該縦目地一次止水材３１の位置決めを正確に行うことができる。さらに、縦目地二次止水材３２の下端面を、組付体２０の底壁２４に設けた第二当接面２３に当接させるので、当該縦目地二次止水材３２の上下方向の位置決めを正確に行うことができる。これによって、排水用のスペース（排水通路１２）を確実に確保しながら、止水材の施工作業を正確かつ容易に行うことができる。
【００２７】
なお、縦目地二次止水材３２の下端部の前端面は縦壁１５に当接し、後端面は後壁２６に当接するので前後方向の位置決めが正確に行われる。
【００２８】
また、組付体２０に下端壁２７を設けているので、当該組付体２０の構造的強度を高めて、縦目地二次止水材３２の下端部をより強固に保持して、目地排水部材１と縦目地二次止水材３２が相互に離脱するのを、確実に防止している。
【００２９】
請求項６に記載の発明は、請求項１〜５に記載の建物目地排水部材を備えたことによって、縦目地一次止水部材３１と縦目地二次止水部材３２との間に進入した水Wを屋外に排水し、室内側に逆流させることがない建物である。
【発明を実施するための最良の形態】
【００３０】
本発明に係る目地排水部材１の第一実施形態を、図２乃至図１０に示す。これは、外壁をサイディングとした建物の目地３０に挿入された乾式目地材である縦目地一次止水材３１と縦目地二次止水材３２の直下に設けられ、前記縦目地一次止水材３１と縦目地二次止水材３２との間に侵入した水Ｗを屋外へ排出するものであり、排水体１０と組付体２０とからなる。この目地排水部材１は、硬質樹脂で形成されている。
【００３１】
排水体１０は、その上端面に、縦目地一次止水材３１の下端面が当接する第一当接面１１を有する断面略逆Ｕ字状の逆Ｕ字体の後端部に、当該縦目地一次止水材３１の後端面が当接する第三当接面１４を形成する縦壁１５を立設し、内部に、前後方向の排水通路１２を有する。
【００３２】
組付体２０は、排水体１０の後端から連設され、第一当接面１１と同一高さに設けた底壁２４の後端部から後壁２６を立設し、当該底壁２４の上端面に、縦壁１５と後壁２６との間に侵入させた縦目地二次止水材３２の下端面が当接する第二当接面２３を有している。また、底壁２４の後端部から、水Ｗの逆流を阻止する逆流防止壁２１を垂下設している。
【００３３】
本実施形態における目地排水部材１において、縦目地一次止水材３１と縦目地二次止水材３２との間に侵入した水Ｗは、底壁２４の下位まで滴下し、そこから排水通路１２を通過して前端開口部１３から屋外へ排出される。これにより、侵入した水Ｗを排出するためのスペース（排水通路１２）を確保することができ、当該水Ｗを確実に排出することができる。
【００３４】
また、逆流防止壁２１によって、水Ｗが逆流して目地３０の奥側（室内側）に侵入するのを阻止するので、当該水Ｗの室内への侵入を確実に防止することができる。
【００３５】
また、縦目地一次止水材３１の下端面を、排水体１０に設けた第一当接面１１に当接させ、その後端面を第三当接面１４に当接させるので、当該縦目地一次止水材３１の位置決めを正確に行うことができる。また、縦目地二次止水材３２の下端面を、組付体２０に設けた第二当接面２３に当接させるので、当該縦目地二次止水材３２の位置決めを正確に行うことができる。従って、排水用のスペース（排水通路１２）を正確に確保しつつ、止水材の施工作業を容易に行うことができる。
【００３６】
なお、第一実施形態における目地排水部材１は、図２乃至図５に示すように、建物の一階用として設けられる第一サイディング３３および第一フレーム３４の上端面と、二階用として設けられる第二サイディング３５および第二フレーム３６の下端面との間に設けられるものである。
【００３７】
また、この目地排水部材１は、第一サイディング３３および第一フレーム３４の上端面に設けられるクロス目地材４０の基板４１に形成した凹部４２に設けられるものである。なお、クロス目地材４０に凹部４２を形成しない場合は、基板４１の上に設けることができる。クロス目地材４０の後端部には、縦目地三次止水材となる柱４３が立設されている。また、クロス目地材４０，横目地二次止水材３９によって、横目地二次止水構造を設定する。
【００３８】
また、横目地一次止水材３８が、排水体１０の左右側に設けられ、横目地二次止水材３９がクロス目地材４０の左右側に設けられる。なお、クロス目地材４０の下にはゴムシート４４を敷設している。また、サイディングとフレームとの間には、防水シート３７を設けている。
【００３９】
なお、縦目地一次止水材３１をシーリング（湿式目地）で構成する場合は、目地排水部材１を取付けた後に充填するので、当該シーリングによって排水通路１２を塞いでしまうことはない。
【００４０】
また、排水通路１２を、その前端開口部１３が下向きになるように形成しており、これによって前端開口部１３を視覚され難くして見栄えを向上させ、また、水Ｗを真下に良好に排水できるようにしている。
【００４１】
さらに、本実施形態では、後壁２６を縦壁１５側に向けて傾斜させている。これによって、当該後壁２６と縦壁１５との間の間隔を、その上部において小さくし、縦目地二次止水材３２をより強く保持して、両者が相互に脱落するのを未然に防止している。なお、後壁２６に代えて、縦壁１５を後壁２６側に向けて傾斜させることもできるし、また、後壁２６と縦壁１５の両方を、相対向する方向に傾斜させることもできる。
【００４２】
本発明に係る目地排水部材１の第二実施形態を、図１１および図１２に示す。
これは、建物の目地３０に挿入された縦目地一次止水材３１と縦目地二次止水材３２の直下に設けられ、縦目地一次止水材３１と縦目地二次止水材３２との間に侵入した水Ｗを屋外へ排出するものであり、排水体１０と組付体２０とで構成される。
【００４３】
排水体１０は、その断面四角筒形状である筒状体の上端面に、縦目地一次止水材３１の下端面が当接する第一当接面１１を有し、その後端部に、当該縦目地一次止水材３１の後端面が当接する第一当接面１４を形成する縦壁１５を立設している。また、その内部に排水通路１２を有し、当該排水通路１２は、その前端開口部１３が前向きになるように形成されている。
【００４４】
なお、排水体１０は、断面四角筒形状に限定されず、例えば、断面円筒形状とすることもできる（図示せず）。
【００４５】
組付体２０は、排水体１０の後端から連設されると共に、第一当接面１１と同一高さで設けた底壁２４から、縦壁１５と同一高さの後壁２６を立設している。また、底壁２４の上端面に、縦壁１５と後壁２６との間に侵入させる縦目地二次止水材３２の下端面が当接する第二当接面２３を有する。なお、底壁２４の下位には、逆流防止壁２１と排水体１０の下端後端部とを連設する下端壁２７を設けている。
【００４６】
本実施形態における目地排水部材１は、縦目地一次止水材３１と縦目地二次止水材３２の直下に設けているので、当該縦目地一次止水材３１と縦目地二次止水材３２との間に侵入した水Ｗを、排水体１０の排水通路１２を通して屋外に確実に排出することができる。
【００４７】
また、縦目地一次止水材３１の下端面を、排水体１０に設けた第一当接面１１に当接させて上下方向の位置決めを行い、また、その後端面を第三当接面２３に当接させた前後方向の位置決めを行うので、当該縦目地一次止水材３１の位置決めを正確に行うことができる。さらに、縦目地二次止水材３２の下端面を、組付体２０の底壁２４に設けた第二当接面２３に当接させるので、当該縦目地二次止水材３２の上下方向の位置決めを正確に行うことができる。これによって、排水用のスペース（排水通路１２）を確実に確保しながら、止水材の施工作業を正確かつ容易に行うことができる。
【００４８】
なお、縦目地二次止水材３２の下端部の前端面は縦壁１５に当接し、後端面は後壁２６に当接するので前後方向の位置決めが正確に行われる。
【００４９】
また、組付体２０に下端壁２７を設けた場合、当該組付体２０の構造的強度を高めて、縦目地二次止水材３２の下端部をより強固に保持して、目地排水部材１と縦目地二次止水材３２が相互に離脱するのを、確実に防止している。
【図面の簡単な説明】
【００５０】
【図１】従来例に係る建物外壁の排水用スペースを示す正面図である。
【図２】本発明の第一実施形態に係る建物外壁の目地排水部材の組付け前の状態を示す分解斜視図である。
【図３】本発明の第一実施形態に係る建物外壁の目地排水部材の組付け後の状態を示す正面図である。
【図４】本発明の第一実施形態に係る建物外壁の目地排水部材の組付け後の状態を示す平面図である。
【図５】本発明の第一実施形態に係る建物外壁の目地排水部材の組付け後の状態を示す側面図である。
【図６】本発明の第一実施形態に係る目地排水部材を示す斜視図である。
【図７】図６に示す目地排水部材の正面図である。
【図８】図６に示す目地排水部材の平面図である。
【図９】図６に示す目地排水部材の側面図である。
【図１０】図８のＸ−Ｘ線断面図である。
【図１１】本発明の第二実施形態に係る目地排水部材を示す斜視図である。
【図１２】図１１のＹ−Ｙ線断面図である。
【符号の説明】
【００５１】
１        目地排水部材
１０      排水体
１１      第一当接面
１２      排水通路
１３      前端開口部
１４      第三当接面
１５      縦壁
２０      組付体
２１      逆流防止壁
２３      第二当接面
２４      底壁
２６      後壁
２７      下端壁
３０      目地
３０ａ    縦目地
３０ｂ    横目地
３１      縦目地一次止水材
３２      縦目地二次止水材
３３      第一サイディング
３４      第一フレーム
３５      第二サイディング
３６      第二フレーム
３７      防水シート
３８      横目地一次止水材
３９      横目地二次止水材
４０      クロス目地材
４１      基板
４２      凹部
４３      縦目地三次止水材用柱
４４      ゴムシート
５０      サイディング
５１      目地
５２      目地材
５２ａ    縦目地材
５２ｂ    横目地材
５３      排水用スペース
Ｗ        水
【図１】
0004647462.tif 000002
【図２】
0004647462.tif 000003
【図３】
0004647462.tif 000004
【図４】
0004647462.tif 000005
【図５】
0004647462.tif 000006
【図６】
0004647462.tif 000007
【図７】
0004647462.tif 000008
【図８】
0004647462.tif 000009
【図９】
0004647462.tif 000010
【図１０】
0004647462.tif 000011
【図１１】
0004647462.tif 000012
【図１２】
0004647462.tif 000013